(57)【要約】【課題】チョークの粉が空気中に飛び散るのを効果的に防止し、払拭効果に優れる黒板消しの構造を提供する。【解決手段】外殻１０底部にはブラシ２０を内蔵した集塵室１１を設け、中骨６０を該集塵室１１中に設け、複数のローラ４０を該中骨６０内に排列し、該ローラ４０上に払拭布３０を巻設し、該払拭布３０の内側面が該ブラシ２０と接触するようにし、更に収集箱９０を該集塵室１１と相通すべく該外殻１０上に設け、該収集箱９０中には濾過袋９１を設け、ファン８０を該収集箱９０側面に設けることで該濾過袋９１を隔てて該集塵室１１のチョーク粉が収集箱９０中に吸入されるようにする。【選択図】        図１
2006110832.tif 000002
【特許請求の範囲】
【請求項１】
外殻とブラシと中骨と払拭布より構成される黒板消しの構造において、
下向きの集塵室を具有し、更に負圧力源と相通させるべく該集塵室の壁面には真空腔が設けられている該外殻と、
該外殻における真空腔に対応した個所に設けられている該ブラシと、
該集塵室中に設置され、且つ該集塵室開口より底部が露出すべく設けられた数個のローラが枢設される該中骨と、
各該ローラ上に巻設され、底部は該外殻集塵室より突出し、該ブラシに相対した位置において該ブラシと接触し、該外殻を持ち黒板を拭く動作を行うべく移動させると該ローラ上で回転すると同時に、該ブラシと接触してチョークの粉が払い落とされ、該真空腔により近距離から負圧力が提供されて該チョークの粉が該集塵室に吸い出される該払拭布と、
を具有することを特徴とする黒板消しの構造。
【請求項２】
該外殻上部には嵌合溝及び収容室が設けられており、該集塵室の真空腔は該嵌合溝と相通しており、該収容室は風口により該嵌合溝と相通しており、また該ファンは該収容室における風口に対応した位置に設置され、且つ該動力部を駆動し、該真空腔に負圧力を発生させるものであることを特徴とする請求項１記載の黒板消しの構造。
【請求項３】
該収容室上方には蓋が設けられており、該蓋上には該動力部を起動させるスイッチが設けられており、
該動力部とはモータで構成されており、該収容室中には電力を提供すべく電池が設けられており、該外殻の片側には導電チップが設けられており、該充電器に充電機能を提供すべく、該導電チップが充電回路を通して該電池に連結されていることを特徴とする請求項２記載の黒板消しの構造。
【請求項４】
該外殻には電源を直接外接してファンを駆動させるべく、電線が外接され、該電線が回路板を通して該動力部と連結されていることを特徴とする請求項２記載の黒板消しの構造。
【請求項５】
該収集箱中には通気性を具有する濾過袋が設けられており、
且つ該収集箱内部は二つの部分に隔てられており、その内の一つの部分は該集塵室と相通しており、もう一つの部分は該収容室と相通しており、該ファンによりチョークの粉が該濾過袋を通り、該収集箱中に収集されることを特徴とする請求項２記載の黒板消しの構造。
【発明の詳細な説明】
【技術分野】
【０００１】
本発明は黒板消しの構造に係り、特にチョークの粉が空気中に飛び散るのが防止されており、払拭効果に優れ、軽くて使用に便利でスペースをとらない黒板消しの構造に関わる。
【背景技術】
【０００２】
公知における黒板消しの構造においては、以下のようなものが開発されている。
先ず台湾申請第83213896号のものにおいては、環状の帯の内側に一本の突出した伝動棒が設けられており、該伝動棒は各ローラの中段に設けられた溝に嵌合され、黒板を拭く際に左右に摺り動くのを防止しており、黒板を拭く動作をする際には該環状の帯がブラシ付きのローラと接触し、該ブラシ付きのローラは該帯と反対方向に回転するため、該帯上のチョークの粉が箱内に落とされるようになっている。
また台湾申請第87206860号のものにおいては、槽状を呈した外殻内に複数の隔離部により払拭部が固定されているものであり、該払拭部は該外殻との間には空気抽出のための適当な空間を残しており、該外殻の側面にはバキューム装置が設けられるものである。
【特許文献１】台湾申請  第83213896号
【特許文献２】台湾申請  第87206860号
【発明の開示】
【発明が解決しようとする課題】
【０００３】
上述のような公知における黒板消しの構造において、先ず台湾申請第83213896号のものでは、環状の帯により黒板を拭き、ブラシ付きローラにより該帯に付着したチョークの粉が払い落とされて箱内に収集される効果が提供されているが、該ブラシと帯が接触する際にチョークの粉が飛び散り易く、空気中に溢れ出て人体の健康に危害を加える可能性があることが言える。
また台湾申請第87206860号においては、チョークの粉の大部分は該払拭部における黒板との接触面上に付着するが、該バキューム装置を近距離に設置することができない構造であることからチョークの粉が完全に吸い出されず、吸塵効果が低いことが言える。
以上の欠点に鑑み、チョークの粉が空気中に飛び散るのを効果的に防止し、払拭効果に優れる本考案の黒板消しの構造を提供する。
【課題を解決するための手段】
【０００４】
外殻底部には上向きに窪んだ集塵室を設け、中骨を該集塵室中に組み立て、該中骨には横向きに数本のローラを排列させ、払拭布を該複数のローラ上に巻設し、該集塵室には更にブラシと真空腔を設け、且つ該ブラシを該払拭布と接触させることで、該払拭布が回転する際に該ブラシによりチョークの粉が払い落とされるようにし、該ブラシにより落とされたチョークの粉が近距離からファンにより提供される吸引力で該真空腔から吸い出されるようにする。
【発明の効果】
【０００５】
本発明によると、黒板との接触面積が大きく保たれて払拭効果が高められたこと、また払拭して黒板消しに付着したチョークの粉がブラシで落とされて収集箱内に溜められることから、人がチョークの粉を大量に吸い込む危険から守る効果を提供することに成功した。
【発明を実施するための最良の形態】
【０００６】
図１から図６に示すように、本発明の黒板消しの主な構造には外殻１０、ブラシ２０、四つのローラ４０、中骨６０、払拭布３０、パッド７０、ファン８０、収集箱９０等が含まれる。
【０００７】
該外殻１０においては、底部に略四角形を呈した下向きの開口部である集塵室１１を具有し、また該外殻１０の上部には嵌合溝１２と収容室１３が設けられている。更に該集塵室１１の最上壁面には真空腔１１０が設けられて該嵌合溝１２と連結し、負圧力源と相通する。また該集塵室１１前後両側壁上には二組の相対する固定孔１５が設けられており、該嵌合溝１２は二つのレール１２０より構成され、該収容室１３には風口１３０が設けられ、該風口１３０は該嵌合溝１２と相通しているものとし、且つ該収容室１３右側壁には導電片１４が設けられている。また該風口１３上部には、スイッチ１７を具有する蓋１６により蓋がされるものとする。
【０００８】
該ブラシ２０は一定の面積を具有する片状を呈しており、且つ該集塵室１１上側壁面の真空腔１１０側に固定されているものとする。
該四つのローラ４０は、形状が等しく、且つそれぞれの中心に軸ピン５０が穿設されており、且つ最も右側に位置するローラ４０の軸ピン５０両端にはそれぞれスライダ５００が設けられており、該スライダ５００の側には弾力部５１が設けられているものとする。
【０００９】
該中骨６０であるが、フレーム状を呈しており、該集塵室１１中に収められるものであるが、その前後両側には側片６２が設けられており、固定栓５２によって該固定孔１５に枢設され、こうして該中骨６０が該集塵室１１中に設置され、且つ該中骨６０には四つのローラ４０を設置すべく四つの孔６１が開設されており、こうして該四つのローラ４０はそれぞれ局部が該外殻１０より露出させ、また各該軸ピン５０の両端をそれぞれ該側片６２に設置し、該四つのローラ４０が該中骨６０中にて回転できるようにする。該側片６２の該スライダ５００に対応する位置には嵌合孔６３が設けられ、該スライダ５００が滑動できる状態で嵌合される個所を提供する。これは即ち該弾力部５１のもう一端が該嵌合孔６３内壁面に当たり、該スライダ５００が右に移動する際の弾力を提供するものである。
【００１０】
該払拭布３０であるが、ロール状に該四つのローラ４０上に巻かれており、且つ該中骨６０の両側片５２をその間に位置制限し、該払拭布３０が該中骨６０の外周にて回転するようにする。該弾力部５１で該払拭布３０の張りをコントロールし、使用を重ねることによる磨耗や弛みが発生しないようにし、且つ該払拭布３０の最上面の一部は該ブラシ２０と接触しているものとする。
【００１１】
該パッド７０は軟性の材質によるものであり、該外殻１０の集塵室１１底部の開口壁縁上に設置され、該払拭布３０底部を該パッド７０よりやや突出させ、黒板を拭く際に、摩擦で該外殻１０及びローラ４０が黒板を傷つけないようにする。
【００１２】
該ファン８０は負圧力源であり、該収容室１３の該風口１３０と逆の位置に設置される。該動力部８１を駆動し、該風口１３０より風を出し、該真空腔１１０に負圧力を形成する。該動力部８１には該収容室１３０中に設置される四つの電池８２により電力が提供され、且つ該電池８２は充電回路が該導電片１４上にまで連結され、充電器Aによって充電が行えるようになっているものとする（図７参照）。
【００１３】
該収集箱９０は両側に溝９００が設けられており、該嵌合溝１２のレール１２０上にて滑動すべく嵌合し、これを該外殻１０上に連結させる。該収集箱９０中には収集室９０１が形成されており、該収集室９０１底部の該真空腔１１０に面下個所には穿孔９０２が設けられて該収集室１１と相通するようになっており、該収集室９０１には開口９０３が設けられ、該収容室１３の風口１３０と相通している。また該収集室９０１中には空気が通るよう濾過袋９１が設けられ、該濾過袋９１の開口個所には固定部９０１が設けられ、該収集室９０１の開口９０３箇所に固定される。
【００１４】
図５に示すように、該払拭布３０により黒板を拭くと、接触面にはチョークの粉が付着するが、黒板消しを黒板に接触させて動かすことで、チョークの粉が付着した面の該払拭布３０が該集塵室１１内に滑動し、よってチョークの粉は該ブラシ２０を経る際に払い落とされる。
【００１５】
該スイッチ１７がオンの位置にある際には、該ファン８０は上述のチョークの粉を該濾過袋９１を通して該外殻１０の真空腔１１０から該収集箱９０中に吸い込み、且つ該チョークの粉は該濾過袋９１の阻隔によって該ファン８０中には吸い込まれない。該収集箱９０がチョークの粉をある一定の量まで収集した際には、使用者は該外殻１０から取り外して捨てる。
【００１６】
図６に示すように、黒板消しを黒板に接触させて動かすと、該中骨６０片側のローラ４０が該弾力部５１によって該軸ピン５０のスライダ５００を押すため、その弾力により移動に伸縮効果が提供され、該数個のローラ４０上に設置した払拭布３０が適度な張力を持って黒板を拭くことができるようにしている。
【００１７】
図７に示すように、黒板消し全体を充電器A上に設置するが、該充電器A上にはスイッチが設けられており、スイッチを開けると該外殻１０の収容室１３中の電池８２に充電された電力が提供される。
【００１８】
本発明の第二実施例では、該蓋１６を該外殻１０の収容室１３上に設置し、該電池８２を非充電式とする。上述の構造では該電池８２の電力が全て消耗された際、該蓋１６を取り外して電池交換を行えるようになっている。
【００１９】
また第三実施例では、該外殻１０には電線が設けられ、回路板を通して動力部８１に電力を提供し、こうすることでは電池ではなく、一般のコンセントに差し込んで使用するタイプとなる。
【図面の簡単な説明】
【００２０】
【図１】本発明における立体分解図である。
【図２】本発明を底から見た様子を示す立体分解図である。
【図３】本発明において中骨とローラとを組み合わせた様子を示す図である。
【図４】本発明の立体外観図である。
【図５】本発明における組み立て後の断面図である。
【図６】本発明における局部断面図である。
【図７】本発明に充電器を合わせて使用する様子を示す分解図である。
【符号の説明】
【００２１】
１０  外殻
１１  集塵室
１１０  真空腔
１２  嵌合溝
１２０  レール
１３  収容室
１３０  風口
１４  導電片
１５  固定孔
１６  蓋
１７  スイッチ
２０  ブラシ
３０  払拭布
４０  ローラ
５０  軸ピン
５００  スライダ
５１  弾力部
５２  固定栓
６０  中骨
６１  孔
６２  側片
６３  嵌合孔
７０  パッド
８０  ファン
８１  動力部
８２  電池
９０  収集箱
９００  溝
９０１  収集室
９０２  穿孔
９０３  開口  
９１  濾過袋
９１０  固定部  
A  充電器
【図１】
2006110832.tif 000003
【図２】
2006110832.tif 000004
【図３】
2006110832.tif 000005
【図４】
2006110832.tif 000006
【図５】
2006110832.tif 000007
【図６】
2006110832.tif 000008
【図７】
2006110832.tif 000009